(57)【要約】投与部材（２）を容器（３）のネック（３０）に固定するための固定部材（１）であって、  前記固定手段は、前記投与部材（２）を収容する働きをする部材収容手段（１２０）と、容器ネックの内壁（３１）および受け面（３５）と協働する形で働く固定手段（１０）とを有し、固定部材が、ネックに自身が固定される位置である最終位置に達した状態では、前記固定手段が有する外向きに延びたカラー（１１）は、最終位置において、ネックの受け面（３５）に受け台接触の状態になる、という形で働き、スカート（１０）は、最終位置においては、ネックに嵌まることでネック内壁（３１）と締まり嵌め接触の状態になる、という形で働き、また、前記スカート（１０）は上端部（１０１）と下端部（１０２）とを有し、特徴となるのは、スカート（１０）が、径方向内向きに弾性変形することのできる弾性変形可能部分（１０３）を有し、当該部分（１０３）は、最終位置において、ネックの内壁（３１）に接触することで弾性変形させられ、さらに、その変形状態を保つのにも適している点である、という前記固定部材。
2005533724.tif 000002
【特許請求の範囲】
【請求項１】
投与部材（２）を容器（３）のネック（３０）に固定するための固定部材（１）であって、
前記固定手段は、前記投与部材（２）を収容する働きをする部材収容手段（１２０）と、容器ネックの内壁（３１）および受け面（３５）と協働する形で働く固定手段（１０）とを有し、
固定部材が、ネックに自身が固定される位置である最終位置に達した状態では、前記固定手段が有する外向きに延びたカラー（１１）は、最終位置において、ネックの受け面（３５）に受け台接触の状態になる、という形で働き、
スカート（１０）は、最終位置においては、ネックに嵌まることでネック内壁（３１）と締まり嵌め接触の状態になる、という形で働き、また、前記スカート（１０）は上端部（１０１）と下端部（１０２）とを有し、
特徴となるのは、
スカート（１０）が、径方向内向きに弾性変形することのできる弾性変形可能部分（１０３）を有し、当該部分（１０３）は、最終位置において、ネックの内壁（３１）に接触することで弾性変形させられ、さらに、その変形状態を保つのにも適している点である、
という前記固定部材。
【請求項２】
スカート（１０）の上端部（１０１）は実質的に変形せず、スカート（１０）の下端部（１０２）も実質的に変形せず、変形可能部分（１０３）は、変形しない上端部（１０１）と変形しない下端部（１０２）との間の位置にあること、
を特徴とする請求項１に記載の固定部材。
【請求項３】
下端部（１０２）には、投与部材（２）と受け接触状態になるのに適した接触面（１０５）が形成されていること、
を特徴とする請求項１又は２に記載の固定部材。
【請求項４】
変形可能部分（１０３）の内側には管状のセットバック（１０６）が形作られており、当該セットバックでは、変形可能部分は投与部材（２）に接触しない状態を保ち、そのため、投与部材と接触状態に入ることなく、内向きに変形可能であること、
を特徴とする請求項１乃至３のいずれかに記載の固定部材。
【請求項５】
セットバック（１０６）は、接触面（１０５）が形作られたスカートの下端部（１０２）より上の位置に置かれており、当該接触面は、耐漏洩性を有するのが効果的であり、投与部材（２）と接触状態になるのに適していること、
を特徴とする請求項４に記載の固定部材。
【請求項６】
セットバック（１０６）には可撓性の弾性素材（４）が収められ、当該素材（４）は、変形可能部分によって径方向内向きに圧縮されるのに適しており、効果的な構成としては、投与部材（２）に押し付けられる形で圧縮されること、
を特徴とする請求項４又は５に記載の固定部材。
【請求項７】
変形可能部分（１０３）は外側が円筒形になっていること、
を特徴とする請求項１乃至６のいずれかに記載の固定部材。
【請求項８】
スカート（１０）には、外向きに突出したプロフィール（１０４）が少なくとも１つ設けられていること、
を特徴とする請求項２乃至６のいずれかに記載の固定部材。
【請求項９】
ネック（３０）が形成された容器（３）と、投与部材（２）と、そして、請求項１乃至８のいずれかに記載の固定部材とを有すること、
を特徴とする流体ディスペンサ。
【請求項１０】
ネック（３０）には、リセス（３３）が設けられた内壁（３１）が形作られており、当該リセスは、スカートの変形可能部分（１０３）を収容する働きをすること、
を特徴とする請求項９に記載のディスペンサ。
【請求項１１】
前記部分（１０３）には、突出したプロフィール（１０４）が設けられており、当該プロフィールはリセス（３３）内に収容されること、
を特徴とする請求項１０に記載のディスペンサ。
【請求項１２】
内壁は、リセス（３３）より上の位置に狭いアパーチャ部分（３２）を有し、変形可能部分（１０３）は当該狭いアパーチャ部分に接して変形し、突出したプロフィール（１０４）はリセス内に収容されること、
を特徴とする請求項１１に記載のディスペンサ。
【請求項１３】
スカート（１０）は、セットバック（１０６）によって、本体（２０）から間隔を空けて隔てられていること、
を特徴とする請求項９乃至１２のいずれかに記載のディスペンサ。
【発明の詳細な説明】
【技術分野】
【０００１】
本発明は固定部材に関し、さらに、容器と、ポンプや弁などの投与部材と、そして、容器に投与部材を固定するための固定部材とを有する流体ディスペンサに関する。こうしたディスペンサは、香水、化粧品、あるいは、特に医薬の分野において使用されることが多く、指を使って手動でプッシャを押すと流体が投与される。
【背景技術】
【０００２】
本発明はとりわけ、以下のような型の容器に適用される。すなわち、内壁を形作る開口部またはネックの形成された容器であり、当該内壁には狭いアパーチャ部分が形成されており、当該部分の下では、少なくとも部分的に、壁に外向きのリセスが付けられて広いアパーチャ部分が形成されている、という容器である。ただし、ネックの内壁については、円筒形としてもよい。固定部材については、投与部材の本体を収容するための部材収容手段と、前記開口部内に力嵌めされる形で働く固定用スカートとを有する。スカートの外壁には、スカートが容器ネックに完全に装着された状態ではネックの内壁と接触状態になる形で働く、という部分が形作られている。
【０００３】
そうした型の固定部材を有するディスペンサについては、特許文書：ＵＳ ３ ９３７ ３６６号から知られる。当該文書の発明では、容器ネックの内壁に周縁グルーブが設けられており、当該グルーブには、スカートの外壁に形成されたリブがスナップ留めされることになる。スカートのうち、リブのすぐ上に位置する部分の径は、スタートがまだ容器のネックに装着されていない状態でも、グルーブの底部分の径よりも小さくなっている。スカートの外部プロフィールは容器ネックの内部プロフィールに対して完全に相補的である、と言うことができる。同様に、ネックの内壁にあるグルーブの形状は、スカートのリブの形状と厳密に相補的になっている。そうした構成のため、スカートとネック内壁との間には、締まり嵌め型の径方向接触は存在せず、それどころか、単に、リブがネックのグルーブ内にスナップ留めされるだけである。そのため、スカートとネックとの間に耐漏洩性を実現することは非常に難しい。
【０００４】
同じことは、特許文書：ＦＲ−２ ７９２ ２９５号で説明されている固定部材にも当てはまる。当該部材に用いられているのは、上にポンプまたは弁が設置されるリングである。当該リングもまた容器ネックの内壁と協働するが、そこには狭いアパーチャ部分があって、その部分の下には広いアパーチャ部分が延びている。リングには、ネックの内側に嵌まる形で働くスカートが設けられている。このスカートは外側に径方向突起を有し、当該突起は広いアパーチャ部分に受け止められる形で働くが、この特許文書におけるアパーチャ部分の形は、ネック内壁に形成された単なる周縁リセスとなっている。それはスナップ留めシステムであり、その本質は、スカートの外側にある突起をネックの内側リセスに嵌め込むことにある。スカートは、突起がリセスに達するまでに要する時間の間、瞬間的に変形するのみである。そして、その後、スカートは緩んで初期の形状を取り戻す。
【０００５】
こうした外側突起より上のところで、スカートには径の小さくなった部分が形作られており、当該部分は、ネックの内側リセスのすぐ上に形成された「狭いアパーチャ部分」の位置で受け止められる。しかしながら、当該文書の図面を見ても、スカートのうち、ネックの狭いアパーチャ部分に対応する部分の外径が、前記狭いアパーチャ部分におけるネックの内径よりも小さくなっている、とはいえない。同文書の本文にも、そうした記述はない。
【０００６】
さらに、同文書の本文および特許請求の範囲においては、固定手段が、ネック内壁の前記リセスに受け止められるのに適したスナップ留め手段を備える、と明瞭に定義されており、示された例の中では、そうしたスナップ留め手段は外側突起の形で形成されている。
さらに、プラスチックで作られた固定部材用プラスチック素材は、固定部材が押さえつけられる形でネックに接触する位置において、クリープする傾向がある、ということも見て取れる。中期的には、その結果として、ネックに嵌まった部材は緩み、固定部材はネックから容易に取り外せる状態となってしまう。
【発明の開示】
【発明が解決しようとする課題】
【０００７】
本発明の目的は、従来技術の問題点を解消することであり、そのために、確実な固定と優れた耐漏洩性とを長期的にも実現する、という固定用リングを定義する。
【課題を解決するための手段】
【０００８】
目的の達成のために、本発明が提供するのは、投与部材を容器のネックに固定するための固定部材であって、前記固定手段は、前記投与部材を収容する働きをする部材収容手段と、容器ネックの内壁および受け面と協働する形で働く固定手段とを有し、固定部材が、ネックに自身が固定される位置である最終位置に達した状態では、前記固定手段が有する外向きに延びたカラーは、最終位置において、ネックの受け面に受け台接触の状態になる、という形で働き、スカートは、最終位置においては、ネックに嵌まることでネック内壁と締まり嵌め接触の状態になる、という形で働き、また、前記スカートは上端部と下端部とを有し、特徴となるのは、スカートが、径方向内向きに弾性変形することのできる弾性変形可能部分を有し、当該部分は、最終位置において、ネックの内壁に接触することで弾性変形させられ、さらに、その変形状態を保つのにも適している点である、という前記固定部材である。
【発明の効果】
【０００９】
この接触は、圧迫型、締まり嵌め型、そして、効果的な構成としては耐漏洩型の接触であり、リングがネック内の最終位置にある際は、変形可能部分は変形した状態を保つため、接触は永続的なものにもなる。また、留意すべき点として、本発明の固定部材は、素材の変位やクリープによって変形を被ることがない。
これは、特許文書：ＵＳ ３ ９３７ ３６６号のように、スカートの径が、グルーブの位置においてすらネックの径に厳密に等しい、という発明には当てはまらないことである。また、特許文書：ＦＲ−２ ７２９ ２９５号のように、ネックの内壁に形成されたリセスにリングがスナップ留めされる、という発明にも当てはまらない。そのため、これらの従来技術文書に記されたリングは両方とも、弾性変形が生じる時間が非常に短くなる。それは、リングがネック内に挿入されつつある時にしか変形が生じず、しかも、リングは最終的なスナップ留め位置に達すると直ちに緩んでしまうからである。そうしたリングは、弾性変形状態を永続的に保つことはない。
【００１０】
また、効果的な構成として、スカートの上端部は実質的に変形せず、対称的にスカートの下端部も実質的に変形しないものとしてよい。また、その場合は、変形可能部分は、変形しない上端部と変形しない下端部との間の位置にあること、とする。そうすると、弾性変形可能部分は、２つの堅い端部において強固に保持された可撓性バンドの形をとる。
また、下端部には、投与部材と受け接触状態になるのに適した接触面が形成されていること、とするのが効果的である。
【００１１】
また、本発明の別の特徴として、変形可能部分の内側には管状のセットバックが形作られており、当該セットバックでは、変形可能部分は投与部材に接触しない状態を保ち、そのため、投与部材と接触状態に入ることなく、内向きに変形可能であること、とする。また、セットバックは、接触面が形作られたスカートの下端部より上の位置に置かれており、当該接触面は、耐漏洩性を有するのが効果的であり、投与部材と接触状態になるのに適していること、とするのが効果的である。また、セットバックには可撓性の弾性素材が収められ、当該素材は、変形可能部分によって径方向内向きに圧縮されるのに適しており、効果的な構成としては、投与部材に押し付けられる形で圧縮されること、とするのが好ましい。その場合、可撓性素材は、セットバックに設置またはオーバーモールドされる。好ましい構成として、当該素材は、投与部材の本体およびスカートと接触するが、セットバックの空間全体を占有することはない。
【００１２】
別の特徴として、変形可能な部分は外側が円筒形になっている。また、変形例として、変形可能な部分には、外向きに突出したプロフィールが少なくとも１つ設けられており、当該プロフィールについては、容器ネックの内壁に形成されたリセスに収容されるのに適したもの、とするのが効果的であろう。
本発明はまた、ネックが形成された容器、投与部材、そして固定部材を有する流体ディスペンサを提供する。そして、効果的な構成として、ネックにはリセスが設けられた内壁が形作られており、当該リセスはスカートの変形可能部分を収容する働きをする。
【００１３】
また、別の特徴として、スカートは、中間スペースによって、本体から間隔を空けて隔てられていること、とする。
【発明を実施するための最良の形態】
【００１４】
本発明については、本発明に関する非限定的な例として３つの実施の形態を示す添付図面を参照しながら、これ以降の部分で更に詳しく説明する。
図面においては、本発明の流体ディスペンサの頂上部分のみを示しており、そのため、容器については、そのネックだけを図示してある。ただし、本発明のディスペンサは３つの構成要素部分を有しており、それはすなわち、容器３、投与部材２、そして固定部材１である。
【００１５】
本例では、容器３はネック３０を備えており、当該ネックは、流体の格納を機能とする容器本体（図示せず）から上方向に突き出す形となっている。ネックには、容器内部への連絡を可能とする開口部が形作られている。しかしながら、容器については、その他の実施の形態、すなわち、突出したネックは存在せず、容器本体に開口部が存在するのみである、という形態を考えることができる。図面を参照しながら言えば、ネック３０の末端部分がそのまま肩３７の高さに位置する、という形が考えられる。その場合は、開口部はネックを持たない、と言うことができる。すなわち、突出したネックは本発明の必須の要素ではない。
【００１６】
図１乃至４において、ネック３０の内壁３１は円筒形ではなく、狭いアパーチャ部分３２を有し、さらに、当該部分３２の下には広いアパーチャ部分３３が形作られている。狭いアパーチャ部分はネックの出口近くの位置にあり、ネックにおけるその位置には、環状の形状をした上端部３５が形成されている。効果的な構成として、狭いアパーチャ部分３２は、円錐台形または押し広げ加工された形の誘導部分３４を挟んで、上端部３５につながっている。狭いアパーチャ部分３２については、実質的に円筒形としてもよい。広いアパーチャ部分１４についても、実質的に円筒形としてよい。また、広いアパーチャ部分３３を周縁リセスの形とし、当該リセスについては、ネックの高さ方向に、ある程度の長さにわたって延び、さらに、狭いアパーチャ部分の径と実質的に等しい径を有する別の部分をはさんで下向きに延びている、という構成を考えることができる。さらに、広いアパーチャ部分については、ネックの内周に沿って分散配置された複数のリセスの形を取る、という構成を考えることも可能である。言い換えれば、広いアパーチャ部分にとって必要なのは、その形状に関わりなく、内径が（少なくとも部分的には）狭いアパーチャ部分のそれよりも大きくなっている、ということなのである。図に示した実施の形態では、狭いアパーチャ部分は円筒形であり、広いアパーチャ部分１４は、押し広げ加工された遷移部分から始まる形で、狭いアパーチャ部分１３から下に延びている。押し広げ加工された遷移部分を広いアパーチャ部分３３の一部と見なすこともできるが、それは、その部分の寸法が、狭いアパーチャ部分３２より小さくなっているからである。広いアパーチャ部分３３は、さらに下に延びて肩３７につながる。当然のことながら、遷移部分のない形、及び、広いアパーチャ部分が鋭角エッジを有した肩を介して狭いアパーチャ部分につながる形、を考えることができる。その場合には、高さ方向にある程度の長さにわたって延びるネックを有する、という形にする必要はなく、肩３７に、狭いアパーチャ部分と広いアパーチャ部分とを備えた開口部を実装する、という形にすることができる。
【００１７】
これに対し、図５、６に示す第３の実施の形態では、ネックは円筒形の内壁を有して、当該内壁は、その高さ方向の少なくとも一部にわたって固定部材と協働する、という形で働く。
投与部材２（本例では、ポンプまたは弁）は本体２０を有し、当該本体の上端部には、外向きに突出したフランジ２１が形作られている。ポンプ本体には、フランジの下の位置に、本体部分２２が形作られており、当該部分２２の下には、より径の小さい第２の本体部分２４がつながっている。そうして、２つの本体部分２２、２４の間には、円錐台形のステップの形をした遷移部分２３が存在する構成となっており、これは、図を見ればより明らかである。本体２０にはさらに、第２の本体部分２４の下に、別の本体部分が形作られており、その部分の径はいっそう小さくなっている。本体２０は、フランジ２１から始まって径が小さくなっていく４つの本体部分を有するため、４つの段を付けた構成と言うことができる。ただし、これは単に１つの特定の実施の形態にすぎず、当然のことながら、厳密に円筒形の本体２０を考えることも可能である。従来と同じく、ポンプ２には、本体２０内をスライド移動する形で設置された駆動ロッド２５が設けられている。駆動ロッド２５の上には、投与開口部が形作られたプッシャ２６が載っている。ポンプ２を駆動するには、単にプッシャを押さえて、ロッドを本体内部に押し込むだけでよい。そうすれば、「定量」または「ドーズ分」の流体が投与開口部に送り出されることになる。これは、完全に従来どおりのポンプまたは弁である。
【００１８】
固定部材１の目的は、投与部材２を保持すること、及び、ネック３０の開口部にそれを固定することである。固定部材は、部材収容手段をスリーブ１２の形で備えた、固定用リングの形を取り、当該スリーブの内側にはスナップ留めリセス１２０が形作られており、ポンプのフランジ２１が当該リセス内に収まる。固定用リング１にはさらに、ネックに挿入される形で働く固定用スカート１０が設けられている。スカート１０は、スリーブ１２とほぼ同一線上に延びている。見て分かるように、スカート１０は、第２の本体部分２２においては、本体と接触していない。中間スペースまたはセットバック１０６があって、それが、スカート１０と本体２０との間の接触や干渉をいっさいで防止している。これが可能となるのは、本体に段が付けられているからであるが、スリーブ１２に対してスカート１０に段を付ける、という形にしても、同じ中間スペースまたはセットバックを得ることができる。スカートの外壁については、図３、４に示す実施の形態のように実質的に円筒形をしている場合もあれば、図１、２、５及び図６に示す実施の形態のように形付けしたプロフィールを有する場合もある。スカートについては、その下端部に斜角１０８を設けて、ネック開口部へのスカートの挿入を容易にできるようにする、という形にしてもよい。
【００１９】
このように、スカート１０は、スリーブ１２と実質的に同一線上にあり、上側部分２２の位置では本体２０から隔たって間隔が空いている、という形で延びており、それによって、中間スペースまたはセットバック１０６がそこに形成される。本体２０のフランジ２１はスリーブ１２内にスナップ留めされ、それによって、ある程度の堅さや非変形性をもたらす。スカート１０がスリーブ１２とつながる位置（すなわち、両者が出会う位置）では、カラー１１が径方向外向きに延びている。その底面において、前記カラー１１にはグルーブ１１０が設けられており、当該グルーブは、ネック３０の上端部３５に形成された漏止ビード３６を受け止める形で働く。また、径方向カラー１１がリングに非変形性を与えるので、スカートの上端部１０１は実質的に変形しなくなる。加えて、スカート１０には、やはり実質的に非変形の下端部１０２が形作られている。こうした非変形性が実現されるのは、下端部１０２に形作られた接触面１０５が、本体２０に対して（例えば、円錐台形の遷移部分２３、２４の位置で）支持接触状態（bearing contact）となるのに適している、という事実による。留意すべきは、本体２０が、スリーブ１２に形成されたスナップ留めリセス１２０にスナップ留めされたフランジ２１によって、すでに固定本体の中に非常に安定した状態で保持されている、という点である。ただし、固定部材における本体２０の安定性に関しては、接触面１０５も更に関与している。それは、第１に、部分２４をクリンプするからであり、第２に、円錐台形の遷移部分２３に接する受け面が形成されているからである。従って、スカートの上端部１０１および下端部１０２は実質的に変形しない。
【００２０】
本発明では、スカート１０にはさらに、弾性変形可能部分１０３が形作られており、本例における当該部分１０３は、いずれも変形しない端部１０１と端部１０２との間を延びている。本例では、この弾力変形可能部分１０３は、実質的に円筒形をした部分であり、その２つの端部１０１、１０２は実質的に変形しない、という構成になっている。留意すべきは、何がこうした弾性変形可能性をもたらすか、ということであるが、それは、弾性変形可能部分の両端部が実質的に変形しないため、当該部分が２つの端部の間で保持または「引っぱられて」いると言うべき状態になる、という事実である。
【００２１】
さらに、弾性変形可能部分１０３の置かれている位置は、頂上部分２２のうち、スカート１０をポンプ本体２０から隔てる中間スペースまたはセットバック１０６が形成された位置となっている。このようにするために、セットバック１０６は、スカート１０の内壁と、スカート１０の変形しない下端部１０２と、本体２０の上側部分２２と、そして、スリーブ１２にスナップ留めされたカラー２１とによって形成されている、と言える。セットバック１０６は、主にスカート１０によって形作られるが、これによって、弾性変形可能部分１０３は、本体２０と接触状態に入ることなく、径方向内向きに変形することが可能となる。よって、以下のように言うこともできる。すなわち、セットバック１０６は、弾性変形可能部分１０３が内向きに変形するのを可能にするクリアランスとして働く。
【００２２】
本発明では、セットバック１０６には可撓性の弾性素材４が収められており、当該素材については、クリープする傾向が大きくないものが好ましい。言い換えると、素材４は、長期間経過した後でさえ継続して弾性を保つものでなければならない。可撓性素材で成る部材４はセットバック１０６を部分的に占有し、フリーまたは空の部分１０７を残る形となっている。したがって、弾性変形可能部分１０３に対して径方向内向きの圧力が加えられた際には、素材４は空の部分１０７に延びることが可能であり、そうなると、セットバック１０６の空間は小さくなる。素材４の配置については、スカートの内壁及びポンプ本体２０の一番上の部分２２の外壁に接触するようにするのが好ましい。このような配置にすると、素材は弾性戻しスプリングとして作用し、素材クリープによって自身が弾性変形可能性を失った場合でも、弾性変形可能部分１０３に弾性変形可能性を持たせることができる。セットバック１０６に配置する可撓性の弾性素材の部材４については、省略しても全く問題はなく、そうした構成も本発明の範囲内である。ただし、それは、スカート１０の材料であるプラスチック素材が、永続的又は長く残る弾性変形可能性を有する場合（すなわち、同素材が、大半のプラスチック素材にしばしば見られるクリープ傾向を持たない場合）である。スカート１０の材料であるプラスチック素材にクリープ傾向がある場合は、可撓性弾性物質４などがセットバック１０６を部分的に占有する、という形にするのが好ましい。そうした素材を用いれば、ポンプ本体２０からの反応によってスカート１０をネック内壁に継続して押し付けることが可能となる。従って、必要なときはいつでも、可撓性弾性素材の部材４は弾性変形可能部分１０３から役割を引き継ぐことになる。
【００２３】
ここからは、特に図１、２を参照しながら、第１の実施の形態について詳細に説明をする。本実施の形態では、ネック３０は、狭いアパーチャ部分３２を備える形で形成されており、当該部分３２が下に延びた先は広いアパーチャ部分３３となっている。その外壁に、スカート１０は突出した環状バルジ１０４を備えており、当該バルジは弾性変形可能部分１０３の下部分に位置している。図２に示すように、いったん完全にネックに嵌め込まれると、固定部材１の配置は、そのカラー１１がネックの上端部３５に載る形で接し、グルーブ１１０に耐漏洩様態でビーズ３６が嵌まる、というものになる。加えて、弾性変形可能部分１０３は、狭いアパーチャ部分３２の位置にくる。狭いアパーチャ部分３２の内径は弾性変形可能部分１０３の外径より小さいので、ネックに固定部材を装着するのに先立って、狭いアパーチャ部分３２は弾性変形可能部分１０３を内向きに変形させて突起１３４を形成させ、当該突起はセットバック１０６の内部容積を小さくする（セットバックには可撓性素材の部材４が配置されている場合もある）。このように、弾性変形可能部分１０３は、狭いアパーチャ部分３２に沿って変形し、それによって、弾性変形可能部分の上側部分は、ネックの円錐台形部分３４にわずかにかぶさる形となる。さらに、弾性変形可能部分の下側部分（バルジ１０４を備えている部分）は、広いアパーチャ部分３３の中に収まることとなり、それによって、ネック内側への固定部材の固定およびロックに寄与するか、その状態を改善する。よって、バルジ１０４は広いアパーチャ部分１０３に「スナップ留め」され、その一方で、弾性変形可能部分は狭いアパーチャ部分３２に押し当てられる、と言うことができる：効果的なのは、この圧迫作用が、セットバック１０６内に存在する弾性素材４によって補足されることである。
【００２４】
図３、４に示す第２の実施の形態では、弾性変形可能部分１０３は、実質的または完全に円筒形をした外壁を有する。加えて、ネックは、図１、２に示した実施の形態におけるネックと類似または同一である（すなわち、狭いアパーチャ部分３２を有し、当該部分３２が下に延びた先は広いアパーチャ部分３３となっている）。いったん、図４に示すようにネックに嵌まると、スカート１０は、図２に示した場合と同じように変形する。これら２つの実施の形態の間にある唯一の相違は、図３、４に示すスカート１０が、弾性変形可能部分１０３の下側部分に形成されていた突出バルジ１０４を有していない、という点である。弾性変形可能部分１０３の下側部分がネックの広いアパーチャ部分３３内にまで入り込まない点を除けば、結果はほとんど同一である。これは、スカート１０は円筒形でもよいし、様々な程度に突出したプロフィールを備える形に作ってもよい、ということを示す。
【００２５】
図５、６に示す第３の実施の形態は、固定部材に関して言えば、図１、２に示した実施の形態と実質的に同一であり、スカート１０は、弾性変形可能部分１０３の上に形成された突出バルジ１０４を備えている。ただし、本実施の形態におけるネック３０の内壁３１は、完全に円筒形である。いったんネックに嵌め込まれると、スカート１０は弾性変形可能部分１０３の位置で内向きに変形し、突起１３４が形成されるが、当該突起１３４はセットバック１０６に入り込み、その結果、可撓性素材の部材４は変形させられる。スカート１０の外壁に関しては、ネック３０の円筒形内壁３１の形状と同一形状を有する。
【００２６】
本発明の精神は、ネックに嵌まるスカートが弾性変形可能であり（しかも、素材の変位やクリープによる変形ではない）、この弾性変形可能性によって、スカートからネックの内壁に対して圧力が加わり、その圧力が長期間にわたって一定に保たれる、という状態が可能となる点に存する。スカートは、この点において、スカート内に置かれた耐久性のある可撓性弾性素材によって補助されることもある。
【図面の簡単な説明】
【００２７】
【図１】本発明の固定部材を備えた状態の投与部材を示す概略断面図であり、容器のネックに挿入される直前の状態を示す図である。
【図２】図１に対応する図であり、固定部材が容器のネックに嵌まった状態を示す図である。
【図３】図１と同様の図であり、第２の実施の形態を示す図である。
【図４】図２と同様の図であり、第２の実施の形態を示す図である。
【図５】図１と同様の図であり、本発明に関する第３の実施の形態を示す図である。
【図６】図２と同様の図であり、本発明に関する第３の実施の形態を示す図である。
【図１】
2005533724.tif 000003
【図２】
2005533724.tif 000004
【図３】
2005533724.tif 000005
【図４】
2005533724.tif 000006
【図５】
2005533724.tif 000007
【図６】
2005533724.tif 000008
【国際調査報告】
2005533724.tif 000009
2005533724.tif 000010
2005533724.tif 000011
2005533724.tif 000012